(57)【要約】      （修正有）【課題】空気調和機のコンパクト化を図る。【解決手段】空気調和機は、ケーシングに含まれるケーシング部品２２と、第１発光素子である第１ＬＥＤと、表示カバー３１とを備えている。ケーシング部品２２は、第１開口部２２ａを有する。第１ＬＥＤは、照射する光が第１開口部２２ａを通過する位置に配置されている。スイッチ４１は、第１ＬＥＤと並べて設置されている。表示カバー３１は、第１開口部２２ａを塞いで第１ＬＥＤの前方に設置され、第１開口部２２ａから露出している第１露出箇所３１ａを押されたときに第１ＬＥＤに衝突しない範囲で撓んでスイッチ４１を操作できる形状を有する。【選択図】図３
2019082289.tif 000002
【特許請求の範囲】
【請求項１】
第１開口部を有するケーシング（２０）と、
前記ケーシングの内部に設置され、照射する光が前記第１開口部を通過する位置に配置されている第１発光素子（６１）と、
前記第１発光素子と並べて前記ケーシングの内部に設置されているスイッチ（４１）と、
前記第１開口部を塞いで前記第１発光素子の前方に設置され、前記第１開口部から露出している第１露出箇所を押されたときに前記第１発光素子に衝突しない範囲で撓んで前記スイッチを操作できる形状を有する表示カバー（３１）と
を備える、空気調和機。
【請求項２】
前記表示カバーは、撓みの起点が前記第１発光素子を挟んで前記スイッチの反対側に設けられている、
請求項１に記載の空気調和機。
【請求項３】
前記ケーシングは、前記第１開口部に隣接する第２開口部をさらに有し、
前記ケーシングの内部に設定され、照射する光が前記第２開口部を通過する位置に配置されている第２発光素子（６２，６３）をさらに備え、
前記表示カバーは、前記第２開口部を塞いで前記第２発光素子の前方にも設置され、前記第２開口部から露出している第２露出箇所を押されても撓まない形状を有する、
請求項１または請求項２に記載の空気調和機。
【請求項４】
前記スイッチと前記第１発光素子が実装されている同一のリジッドプリント配線板（６０）をさらに備える、
請求項１から３のいずれか一項に記載の空気調和機。
【発明の詳細な説明】
【技術分野】
【０００１】
本発明は、空気調和機、特にスイッチが機器本体に備わっている空気調和機に関する。
【背景技術】
【０００２】
従来から、空気調和機においては、例えば、特許文献１（特開２００３−７４９０１号公報）に記載されているように、空気調和機を直接操作するための押しボタンスイッチが、ユーザが空気調和機に対して強制運転などを行うことを目的として空気調和機の機器本体に設けられる場合がある。
【発明の概要】
【発明が解決しようとする課題】
【０００３】
しかしながら、特許文献１に記載されているように押しボタンスイッチを機器本体に設ける場合には、押しボタンスイッチを設けるためのスペースが必要になり、空気調和機のコンパクト化の妨げとなる。
【０００４】
本発明の課題は、空気調和機のコンパクト化を図ることである。
【課題を解決するための手段】
【０００５】
本発明の第１観点に係る空気調和機は、第１開口部を有するケーシングと、ケーシングの内部に設置され、照射する光が第１開口部を通過する位置に配置されている第１発光素子と、第１発光素子と並べてケーシングの内部に設置されているスイッチと、第１開口部を塞いで第１発光素子の前方に設置され、第１開口部から露出している第１露出箇所を押されたときに第１発光素子に衝突しない範囲で撓んでスイッチを操作できる形状を有する表示カバーとを備える。
【０００６】
第１観点に係る空気調和機によれば、第１露出箇所が押されたときに表示カバーが撓んでスイッチを操作できる形状を有していることから、表示カバーがスイッチの押しボタンとして兼用できる。
【０００７】
本発明の第２観点に係る空気調和機は、第１観点に係る空気調和機において、表示カバーは、撓みの起点が第１発光素子を挟んでスイッチの反対側に設けられている、ものである。
【０００８】
第２観点に係る空気調和機によれば、撓みの起点が第１発光素子を挟んでスイッチの反対側に設けられていることから、撓みの起点からスイッチまでの距離を長く取ることができ、表示カバーがスイッチに作用する点の、表示カバーが撓むことによる移動距離を大きくすることができる。
【０００９】
本発明の第３観点に係る空気調和機は、第１観点または第２観点に係る空気調和機において、ケーシングは、第１開口部に隣接する第２開口部をさらに有し、ケーシングの内部に設定され、照射する光が第２開口部を通過する位置に配置されている第２発光素子をさらに備え、表示カバーは、第２開口部を塞いで第２発光素子の前方にも設置され、第２開口部から露出している第２露出箇所を押されても撓まない形状を有する、ものである。
【００１０】
第３観点に係る空気調和機によれば、表示カバーが第２露出箇所を押されても撓まない形状を有することから、ユーザが誤って表示カバーの第２露出箇所を押してもスイッチを操作できたとユーザが錯誤するのを抑制することができる。
【００１１】
本発明の第４観点に係る空気調和機は、第１観点から第３観点のいずれかに係る空気調和機において、スイッチと第１発光素子が実装されている同一のリジッドプリント配線板をさらに備える、ものである。
【００１２】
第４観点に係る空気調和機によれば、スイッチと第１発光素子が同一のリジッドプリント配線板上に実装されていることから、スイッチと第１発光素子の位置関係を精度よく設定できる。
【発明の効果】
【００１３】
本発明の第１観点に係る空気調和機では、スイッチの押しボタンを設けるスペースを省くことができ、空気調和機のコンパクト化を行い易くなる。
【００１４】
本発明の第２観点に係る空気調和機では、スイッチのオン・オフ操作の確実性を向上させることができる。
【００１５】
本発明の第３観点に係る空気調和機では、スイッチを操作する際のユーザの操作の確実性を向上させることができる。
【００１６】
本発明の第４観点に係る空気調和機では、第１発光素子に衝突しない範囲で撓んでスイッチを操作できるようにスイッチと第１発光素子とを実装し易くなる。
【図面の簡単な説明】
【００１７】
【図１】本発明の実施形態に係る空気調和機の外観を示す斜視図。
【図２】空気調和機の外部の側から見たケーシング部品と表示カバーと導光部材を示す斜視図。
【図３】ケーシング部品と表示カバーと導光部材とリジッドプリント配線板を示す斜視図。
【図４】表示カバーとリジッドプリント配線板を示す斜視図。
【図５】表示カバーを示す平面図。
【図６】リジッドプリント配線板を示す平面図。
【図７】空気調和機の内部の側から見たケーシング部品と表示カバーと導光部材を示す斜視図。
【図８】空気調和機の内部の側から見たケーシング部品と表示カバーと導光部材を示す平面図。
【発明を実施するための形態】
【００１８】
（１）全体構成
以下、本発明の一実施形態に係る空気調和機について図を用いて説明する。図１には、壁ＷＡに取り付けられている空気調和機１０を斜め下方から見上げたときの空気調和機１０の外観が示されている。空気調和機１０は、ケーシング２０の上部に設けられた吸込口（図示せず）から室内空気を吸い込む。空気調和機１０は、機器の内部での熱交換により、吸い込んだ室内空気を温め又は冷やして設定温度に調整した調和空気を吹出口１１から吹き出す。
【００１９】
空気調和機１０が停止している状態では、吹出口１１が２枚の水平フラップ１３のうちの一方及び前面パネル１２によって塞がれている。空気調和機１０が暖房運転又は冷房運転を行うときに、一方の水平フラップ１３と前面パネル１２が移動して、空気調和機１０は、図１に示されている状態になる。
【００２０】
ケーシング２０は、ケーシング本体２１とケーシング部品２２（図２参照）とを含んで構成されている。ケーシング部品２２は、ケーシング本体２１に対して固定されている。つまり、ケーシング部品２２は、ケーシング本体２１に直接または他の部材を介してケーシング本体２１に間接的に固定されるケーシング２０の構成部品である。
【００２１】
ケーシング本体２１の下面には、表示用開口部２１ａと受光用開口部２１ｂが形成されている。表示用開口部２１ａは、表示用に設置されている第１ＬＥＤ６１及び第２ＬＥＤ６２，６３（図４参照）から照射される光を通過させるための窓の役割を果たす。ここで、ＬＥＤはLight Emitting Diodeの略であり、発光素子の一種である。ＬＥＤ以外の発光素子には、例えばＥＬ（Electroluminescent）素子、蛍光灯及び白熱ランプがある。また、受光用開口部２１ｂは、リモートコントローラ（図示せず）から照射される赤外線を空気調和機１０の内部に取り入れるための窓の役割を果たす。受光用開口部２１ｂを通過した赤外線は、導光部材５１（図２参照）によって受光素子６４（図４参照）に導かれる。
【００２２】
上述のように、ケーシング２０には、前面パネル１２及び水平フラップ１３などの可動部材が取り付けられているため、また、吹出口１１及び吸込口が形成されているため、表示用開口部２１ａと受光用開口部２１ｂを設けることのできるケーシング２０の表面領域は少ない。
【００２３】
（２）詳細構成
以下、本発明にとって重要なケーシング部品２２とリジッドプリント配線板６０と表示カバー３１について説明するが、受光素子６４と導光部材５１を含む受光部５０については説明を省略する。
【００２４】
（２−１）ケーシング部品２２
図２には、ケーシング部品２２を、空気調和機１０の外部から内部に向う方向に見た状態が示されている。表示カバー３１は、ケーシング部品２２の内側に固定されている。以下、ケーシング部品２２が空気調和機１０に設置された状態において、空気調和機１０の外側に向いているケーシング部品２２の面を表面といい、内側に向いているケーシング部品２２の面を裏面という。
【００２５】
ケーシング部品２２は、空気調和機１０の内部に向って突出している４つの爪２２ｆを裏面に有している。４つの爪２２ｆは、図７及び図８に示されているように、ケーシング部品２２の四隅の近傍に配置されている。これらの爪２２ｆによってケーシング部品２２が空気調和機１０の内部の器材（図示せず）に固定されるが、その内部の器材がケーシング本体２１に固定されているので、ケーシング部品２２は、その器材を介してケーシング本体２１に間接的に固定される。ここでは、ケーシング部品２２がケーシング本体２１に間接的に固定される場合について説明したが、ケーシング部品２２がケーシング本体２１に直接固定されるように構成されてもよい。また、ここでは、表示カバー３１をケーシング２０に設置し易くする目的で、表示カバー３１との相対的な位置関係が規定されるケーシング部品２２をケーシング本体２１とは別に設けているが、ケーシング部品２２とケーシング本体２１とを一体化してもよい。
【００２６】
ケーシング部品２２には、長方形の第１開口部２２ａ、並びに第１開口部２２ａよりも小さく正方形に近い形状を有する第２開口部２２ｂ，２２ｃ及び第３開口部２２ｄが形成されている。これら第１開口部２２ａ乃至第３開口部２２ｄには、表示カバー３１の直方体状の突出部３１ａ，３１ｂ，３１ｃ，３１ｄが挿入されている。第１開口部２２ａ、第２開口部２２ｂ、第２開口部２２ｃ及び第３開口部２２ｄは、空気調和機１０の長手方向に沿って並んで、表示用開口部２１ａの中に配置されている。
【００２７】
第１開口部２２ａの突出部３１ａは、第１ＬＥＤ６１から照射される光を通過させる機能とともに押しボタンとしての機能を有している。第２開口部２２ｂ，２２ｃの突出部３１ｂ，３１ｃは、第２ＬＥＤ６２，６３から照射される光を通過させる機能を有しているが、押しボタンとしての機能を有していない。第３開口部２２ｄの突出部３１ｄは、押しボタンとしての機能を有しているが、光を通過させる導光部材としては用いられない。
【００２８】
第１開口部２２ａ、第２開口部２２ｂ、第２開口部２２ｃ及び第３開口部２２ｄと平行して第４開口部２２ｅが形成されている。第４開口部２２ｅには、導光部材５１が挿入されている。
【００２９】
（２−２）リジッドプリント配線板６０
図３、図４及び図６には、リジッドプリント配線板６０が示されている。リジッドプリント配線板６０は、長方形のリジッドな板状の部材で形成されている。リジッドプリント配線板６０を構成する部材としては、例えば繊維強化プラスチックまたはセラミックを用いることができる。繊維強化プラスチックとしては、例えばガラスエポキシまたは紙フェノールがある。
【００３０】
リジッドプリント配線板６０には、スイッチ４１及び、スイッチ４１とは異なる別スイッチ４２が実装されている。また、リジッドプリント配線板６０のスイッチ４１と別スイッチ４２との間には、第１ＬＥＤ６１及び第２ＬＥＤ６２，６３が実装されている。これらスイッチ４１、第１ＬＥＤ６１、第２ＬＥＤ６２、第２ＬＥＤ６３及び別スイッチ４２が１つの直線の上に、この順に並んで配置されている。言い換えると、スイッチ４１、第１ＬＥＤ６１、第２ＬＥＤ６２、第２ＬＥＤ６３及び別スイッチ４２は、表示カバー３１に沿って、さらに詳細には、４つの突出部３１ａ，３１ｂ，３１ｃ，３１ｄに沿って並んでいる。
【００３１】
リジッドプリント配線板６０には、さらに受光素子６４、コネクタ６５、ブザー６６及びコンデンサ６７が実装されている（図６参照）。スイッチ４１、別スイッチ４２、第１ＬＥＤ６１，第２ＬＥＤ６２，６３、受光素子６４及びブザー６６は、コネクタ６５を介して空気調和機１０の制御部（図示せず）に接続されており、空気調和機１０の制御に用いられる。
【００３２】
リジッドプリント配線板６０は、ケーシング部品２２と同様に、空気調和機１０の内部の器材（図示せず）に固定され、その内部の器材がケーシング本体２１に固定されているので、ケーシング部品２２は、その器材を介してケーシング本体２１に間接的に固定される。従って、空気調和機１０の内部の器材を介して、リジッドプリント配線板６０とケーシング部品２２との位置関係も固定される。
【００３３】
リジッドプリント配線板６０が空気調和機１０に固定された状態で、第１ＬＥＤ６１は、照射する光がケーシング部品２２の第１開口部２２ａ及び表示用開口部２１ａを通過する位置に配置されている。また、同様の状態で、第２ＬＥＤ６２は、照射する光が第２開口部２２ｂ及び表示用開口部２１ａを通過する位置に配置され、第２ＬＥＤ６３は、照射する光が第２開口部２２ｃ及び表示用開口部２１ａを通過する位置に配置されている。
【００３４】
（２−３）表示カバー３１
図２、図３、図４、図５及び図７に、表示カバー３１が示されている。図３から分かるように、表示カバー３１は、ケーシング部品２２とリジッドプリント配線板６０との間に配置されている。表示カバー３１は、爪３５ａ，３５ｂを有している。これらの爪３５ａ，３５ｂによって表示カバー３１が空気調和機１０の内部の器材（図示せず）に固定されるが、その内部の器材がケーシング本体２１に固定されているので、表示カバー３１は、その器材を介してケーシング本体２１に間接的に固定される。従って、空気調和機１０の内部の器材を介して、表示カバー３１とリジッドプリント配線板６０との位置関係も固定される。
【００３５】
表示カバー３１は、図４に示されているように、既に説明した直方体状の４つの突出部３１ａ，３１ｂ，３１ｃ，３１ｄを有している。図３に示されている直方体状の突出部３１ａの表面が第１露出箇所３１ａａであり、直方体状の突出部３１ｂ，３１ｃの表面がそれぞれ第２露出箇所３１ｂａ，３１ｃａであり、直方体状の突出部３１ｄの表面が第３露出箇所３１ｄａである。これら第１露出箇所３１ａａ、第２露出箇所３１ｂａ，３１ｃａ及び第３露出箇所３１ｄａは、ケーシング本体２１の表示用開口部２１ａを通して外部に露出している。従って、ユーザは、第１露出箇所３１ａａ、第２露出箇所３１ｂａ，３１ｃａ及び第３露出箇所３１ｄａに触れることができる。
【００３６】
表示カバー３１の直方体状の突出部３１ａ，３１ｂ，３１ｃ，３１ｄは、第１開口部２２ａ乃至第３開口部２２ｄに挿入されている。このような状態で、表示カバー３１は、第１開口部２２ａ乃至第３開口部２２ｄを塞いでいる。さらに詳細に見ると、突出部３１ａによって第１開口部２２ａが塞がれ、突出部３１ｂによって第２開口部２２ｂが塞がれ、突出部３１ｃによって第２開口部２２ｃが塞がれ、突出部３１ｄによって第３開口部２２ｄが塞がれている。
【００３７】
突出部３１ａには第１導光部材兼第１ボタン部材３３ａが一体的に接続されており、突出部３１ｂには第２導光部材３３ｂが一体的に接続されており、突出部３１ｃには第２導光部材３３ｃが一体的に接続されており、突出部３１ｄには第２ボタン部材３４が一体的に接続されている。第１導光部材兼第１ボタン部材３３ａと第２導光部材３３ｂ，３３ｃは導光部３３を構成する。第１導光部材兼第１ボタン部材３３ａには、第１ＬＥＤ６１に向って延びる第１導光部材３３ａａが含まれている。第１導光部材３３ａａは、第１ＬＥＤ６１の前方にあって、第１ＬＥＤ６１から照射される光を空気調和機１０の外部に導くが、第１導光部材３３ａａが第１ＬＥＤ６１には接触しない構成になっている。同様に、第２導光部材３３ｂ，３３ｃは、それぞれ第２ＬＥＤ６２，６３の前方にあって、第２ＬＥＤ６２，６３から照射される光をそれぞれ空気調和機１０の外部に導くが、第２導光部材３３ｂ，３３ｃが第２ＬＥＤ６２，６３には接触しない構成になっている。
【００３８】
第１導光部材兼第１ボタン部材３３ａには、スイッチ４１に向って延びる第１押圧部材３３ａｂが含まれている。第１押圧部材３３ａｂは、第１露出箇所３１ａａが指で押されていないときはスイッチ４１に接触しないが、第１露出箇所３１ａａが指で押されているときはスイッチ４１に接触するように構成されている。第２ボタン部材３４は、第３露出箇所３１ｄａが指で押されていないときは別スイッチ４２に接触しないが、第３露出箇所３１ｄａが指で押されているときは別スイッチ４２に接触するように構成されている。
【００３９】
表示カバー３１は、突出部３１ａ，３１ｂ，３１ｃ，３１ｄに沿って延びる直線状の主連結部材３２ｅと、主連結部材３２ｅから枝分かれした副連結部材３２ａ〜３２ｄとを有している。副連結部材３２ａが主連結部材３２ｅと第１導光部材兼第１ボタン部材３３ａとを連結しており、副連結部材３２ｂが主連結部材３２ｅと第２導光部材３３ｂとを連結しており、副連結部材３２ｃが主連結部材３２ｅと第２導光部材３３ｃとを連結しており、副連結部材３２ｄが主連結部材３２ｅと第２ボタン部材３４とを連結している。
【００４０】
表示カバー３１は、例えば射出成形によって、１つの樹脂製品として成形されている。表示カバー３１は、絶縁性が高く且つ光を透過する樹脂で形成されている。従って、主連結部材３２ｅと副連結部材３２ａ〜３２ｄは、高い強度を有しており、第１露出箇所３１ａａ、第２露出箇所３１ｂａ，３１ｃａまたは第３露出箇所３１ｄａがユーザの指で押されても破損することはない。
【００４１】
（３）押しボタン操作
第１露出箇所３１ａａをユーザが指で押すと、副連結部材３２ａと主連結部材３２ｅに応力が加わり、副連結部材３２ａと主連結部材３２ｅは、爪３５ａの近傍を起点として弾性変形して撓む。副連結部材３２ａと主連結部材３２ｅが撓むと、撓み量が大きくなるに従って第１押圧部材３３ａｂがスイッチ４１に近づき、やがて第１押圧部材３３ａｂがスイッチ４１に接触する。第１押圧部材３３ａｂがスイッチ４１に接触しているとき、第１導光部材３３ａａと第１ＬＥＤ６１の間隔は、第１露出箇所３１ａａが押される前の第１導光部材３３ａａと第１ＬＥＤ６１の間隔に比べて狭くなっているが、第１導光部材３３ａａと第１ＬＥＤ６１は接触していない。第１押圧部材３３ａｂがスイッチ４１に接触した後は、ユーザが指で押す程度の力では、副連結部材３２ａと主連結部材３２ｅがさらに撓むことはなく、それからさらに第１導光部材３３ａａと第１ＬＥＤ６１の間隔が狭くなることはない。
【００４２】
第１押圧部材３３ａｂがスイッチ４１に接触してスイッチ４１が入ると、スイッチ４１から表示カバー３１を介してクリック感がユーザの指に伝わる。ユーザは、このクリック感、つまり表示カバー３１から伝わる振動によってスイッチ４１が入ったことを認識することができる。スイッチ４１が入ってユーザが指を第１露出箇所３１ａａから離すと、副連結部材３２ａと主連結部材３２ｅの弾性変形が解消されて、表示カバー３１は指で押される前の状態に戻る。なお、空気調和機１０の制御部により、スイッチ４１によるオン・オフと第１ＬＥＤ６１の発光・非発光とを連動させてもよい。
【００４３】
ユーザが、第１露出箇所３１ａａと間違えて第２露出箇所３１ｂａまたは第２露出箇所３１ｃａを指で押しても、表示カバー３１は撓まない。表示カバー３１の爪３５ａ，３５ｂが空気調和機１０の内部の器材に固定されており、爪３５ａ，３５ｂが副連結部材３２ｂ，３２ｃ及び第２導光部材３３ｂ，３３ｃにそれぞれ接続されている。従って、副連結部材３２ｂ，３２ｃ及び第２導光部材３３ｂ，３３ｃが空気調和機１０の内部の器材に固定されて、ユーザの指の力で弾性変形する箇所が存在しないので、第２露出箇所３１ｂａ，３１ｃａが指で押されたくらいでは表示カバー３１が撓まない。
【００４４】
第３露出箇所３１ｄａをユーザが指で押すと、副連結部材３２ｄと主連結部材３２ｅに応力が加わり、副連結部材３２ｄと主連結部材３２ｅは、爪３５ｂの近傍を起点として弾性変形して撓む。副連結部材３２ｄと主連結部材３２ｅが撓むと、撓み量が大きくなるに従って第２ボタン部材３３ｄが別スイッチ４２に近づき、やがて第２ボタン部材３３ｄが別スイッチ４２に接触する。
【００４５】
第２ボタン部材３３ｄが別スイッチ４２に接触して別スイッチ４２が入ると、別スイッチ４２から表示カバー３１を介してクリック感がユーザの指に伝わる。ユーザは、このクリック感、つまり表示カバー３１から伝わる振動によって別スイッチ４２が入ったことを認識することができる。別スイッチ４２が入ってユーザが指を第３露出箇所３１ｄａから離すと、副連結部材３２ｄと主連結部材３２ｅの弾性変形が解消されて、表示カバー３１は指で押される前の状態に戻る。
【００４６】
（４）変形例
（４−１）変形例１Ａ
上記実施形態では、第１ＬＥＤ６１及びスイッチ４１以外に、第２ＬＥＤ６２，６３及び別スイッチ４２が表示カバー３１で覆われる場合について説明したが、第１ＬＥＤ６１及びスイッチ４１が設けられ、第２ＬＥＤ６２，６３及び別スイッチ４２が設けられず、表示カバー３１が第１ＬＥＤ６１及びスイッチ４１のみについて設けられていてもよい。
【００４７】
（４−２）変形例１Ｂ
上記実施形態では、第１ＬＥＤ６１及びスイッチ４１と第１導光部材兼第１ボタン部材３３ａが一組だけ設けられる場合について説明したが、このような組み合わせが複数組み設けられてもよい。
【００４８】
（４−３）変形例１Ｃ
上記実施形態では、第２ＬＥＤ６２と第２導光部材３３ｂ及び第２ＬＥＤ６３と第２導光部材３３ｃの複数の組が設けられたが、第２ＬＥＤと第２導光部材の組み合わせは一つであってもよい。
【００４９】
（４−４）変形例１Ｄ
上記実施形態では、第１開口部２２ａ及び第２開口部２２ｂ，２２ｃが突出部３１ａ，３１ｂ，３１ｃで実質的に全体が塞がれているが、部分的に塞ぐような構成であっても構わない。
【００５０】
（４−５）変形例１Ｅ
上記実施形態では、４つの突出部３１ａ〜３１ｄが直線状に並ぶ場合について説明したが、例えば円弧状又は千鳥状に並べられてもよく、直線状に並ぶ場合に限られるものではない。直線状に並ばない場合には、例えば主連結部材３２ｅ及び副連結部材３２ａ〜３２ｄの形状を変えればよい。
【００５１】
（５）特徴
（５−１）
以上説明したように、空気調和機１０では、表示カバー３１の第１露出箇所３１ａａが押されたときに、表示カバー３１が撓んで第１押圧部材３３ａｂによってスイッチ４１を操作できる。スイッチ４１の操作が可能になっているのは、表示カバー３１が弾性変形する主連結部材３２ｅ及び副連結部材３２ａのような形状を有しているからである。表示カバー３１は、ケーシング部品２２の第１開口部２２ａを塞いで第１発光素子である第１ＬＥＤ６１の前方に設置されている第１導光部材３３ａａによって第１ＬＥＤ６１から照射される光を第１開口部２２ａと表示用開口部２１ａを通して空気調和機１０の外部に導くことができる。
【００５２】
上述のように、表示カバー３１が、スイッチ４１の押しボタン及び第１ＬＥＤ６１のカバーとして兼用されている。その結果、空気調和機１０の特にケーシング２０にスイッチ４１の押しボタンを設けるためのスペースを省くことができ、空気調和機１０のコンパクト化を行い易くなっている。
【００５３】
（５−２）
主連結部材３２ｅ及び副連結部材３２ａの撓みの起点となっているのは、爪３５ａの近傍である。この撓みの起点は、第１発光素子である第１ＬＥＤ６１を挟んでスイッチ４１の反対側に設置されている。このような表示カバー３１の形状から、撓みの起点からスイッチ４１までの距離を長く取ることができ、表示カバー３１がスイッチ４１に作用する点の、表示カバー３１が撓むことによる移動距離を大きくすることができる。表示カバー３１がスイッチ４１に作用する点の移動距離が大きいというのは、言い換えると、第１押圧部材３３ａｂが大きく動くということである。第１押圧部材３３ａｂが大きく動くことにより、第１押圧部材３３ａｂが少ししか動かない場合に比べて、スイッチ４１のオン・オフ操作の確実性を向上させることができる。
【００５４】
（５−３）
表示カバー３１は、表示カバー３１の爪３５ａ，３５ｂが空気調和機１０の内部の器材に固定されており、爪３５ａ，３５ｂが副連結部材３２ｂ，３２ｃ及び第２導光部材３３ｂ，３３ｃにそれぞれ接続されているという形状を有している。このような形状を有しているため、表示カバー３１は、第２露出箇所３１ｂａ，３１ｃａを押されても撓まない。従って、ユーザが誤って表示カバー３１の第２露出箇所３１ｂａ，３１ｃａを押してもスイッチ４１を操作できたとユーザが錯誤するのを抑制することができ、スイッチ４１を操作する際のユーザの操作の確実性を向上させることができる。
【００５５】
（５−４）
スイッチ４１と第１発光素子である第１ＬＥＤ６１が同一のリジッドプリント配線板６０の上に実装されている。これらスイッチ４１及び第１ＬＥＤ６１の寸法はそれぞれの公差の範囲内に収まっている。従って、リジッドプリント配線板６０から、実装されたスイッチ４１と第１ＬＥＤ６１の高さなどの位置関係を精度良く設定できる。つまり、上記実施形態の空気調和機１０は、第１ＬＥＤ６１に衝突しない範囲で表示カバー３１が撓んでスイッチ４１を操作できるようにスイッチ４１と第１ＬＥＤ６１とを実装し易いものとなっている。
【符号の説明】
【００５６】
１０  空気調和機
２０  ケーシング
２１  ケーシング本体
２２  ケーシング部品
２２ａ  第１開口部
２２ｂ，２２ｃ  第２開口部
２２ｄ  第３開口部
２２ｅ  第４開口部
３１  表示カバー
３１ａ，３１ｂ，３１ｃ，３１ｄ  突出部
３１ａａ  第１露出箇所
３１ｂａ，３１ｃａ  第２露出箇所
３１ｄａ  第３露出箇所
４１  スイッチ
４２  別スイッチ
６０  リジッドプリント配線板
６１  第１ＬＥＤ（第１発光素子の例）
６２，６３  第２ＬＥＤ（第２発光素子の例）
【先行技術文献】
【特許文献】
【００５７】
【特許文献１】特開２００３−７４９０１号公報
【図１】
2019082289.tif 000003
【図２】
2019082289.tif 000004
【図３】
2019082289.tif 000005
【図４】
2019082289.tif 000006
【図５】
2019082289.tif 000007
【図６】
2019082289.tif 000008
【図７】
2019082289.tif 000009
【図８】
2019082289.tif 000010